(57)【要約】【課題】使用者の人数に対応した首振り送風を行うことができ、一人の使用者に対してより自然なあたりの柔らかい風を的確に送風できる扇風機を提供する。【解決手段】本発明の扇風機は、送風部４と、送風部４を首振り運動させる首振り装置５と、送風部５の首振り角度を制御する角度制御部となる左右首振り制御部32とを備えて構成される。左右首振り制御部32は、送風部４の最大首振り角度を例えば９０°である第１の値と、この第１の値よりも小さい例えば１０°である第２の値の何れかに設定可能であり、この設定した最大首振り角度の範囲内で、送風部４を首振り動作させるように首振り装置５を制御する構成となっている。【選択図】図６
2015042854.tif 000002
【特許請求の範囲】
【請求項１】
送風部と、
前記送風部を首振り運動させる首振り装置と、
前記送風部の首振り角度を制御する角度制御部とを備え、
前記角度制御部は前記送風部の最大首振り角度を第１の値と、この第１の値よりも小さい第２の値に設定可能であることを特徴とする扇風機。
【請求項２】
前記角度制御部は、前記送風部の首振り角度が前記最大首振り角度の範囲内でランダムに変化するように制御することを特徴とする請求項１記載の扇風機。
【請求項３】
前記送風部の首振り速度を制御する速度制御部を備え、
前記速度制御部は、前記送風部の首振り速度がランダムに変化するように制御することを特徴とする請求項１または２に記載の扇風機。
【請求項４】
前記送風部の首振り速度を制御する速度制御部を備え、
前記角度制御部は、前記送風部の最大首振り角度を前記第２の値に設定したときに、前記送風部の首振り角度が前記第２の値以下の範囲内でランダムに変化するように制御し、
前記速度制御部は、前記送風部の首振り速度がランダムに変化するように制御することを特徴とする請求項１記載の扇風機。
【請求項５】
前記送風部の首振り方向が左右と上下の両方、左右のみ、上下のみの何れかであることを特徴とする請求項１〜４の何れかに記載の扇風機。
【請求項６】
前記送風部を駆動させる駆動部がステッピングモータであることを特徴とする請求項１〜５の何れかに記載の扇風機。
【発明の詳細な説明】
【技術分野】
【０００１】
本発明は、自然で心地よい風を送風する扇風機に関する。
【背景技術】
【０００２】
この種の扇風機として、例えば特許文献１には、送風部の駆動源としてＤＣファンモータを搭載し、送風制御部によりこのＤＣファンモータの回転数を時間の経過と共に周期的に変化させてリズム風を生成する扇風機が開示されている。
【０００３】
また、特許文献２には、異なる風量を交互に繰り返して変えてゆくリズム運転の運転時間を使用者が自由に設定し、リズム運転パターンを変化させることができる扇風機が開示されている。
【先行技術文献】
【特許文献】
【０００４】
【特許文献１】特開２０１２−２３７２３８号公報
【特許文献２】特開平７−４２６９５号公報
【発明の概要】
【発明が解決しようとする課題】
【０００５】
しかし、上述した従来の扇風機は、ファンモータの回転数制御を行うことで、リズム風を発生させたものであり、使用者には風のあたりが固いと感じられるという問題点があった。
【０００６】
また、従来の扇風機の首振り運転は、多人数に風を送ることを目的として幅広い角度で送風部の首振りを行うため、使用者が一人の場合には、使い勝手が悪いという問題点もあった。
【０００７】
そこで、本発明は上記問題点に鑑み、使用者の人数に対応した首振り送風を行うことができ、一人の使用者に対してより自然なあたりの柔らかい風を的確に送風できる扇風機を提供することを目的とする。
【課題を解決するための手段】
【０００８】
請求項１の発明では、送風部の最大首振り角度を、多人数に対応した第１の値と、一人に対応した第２の値の何れかに設定できるので、送風部の最大首振り角度を第２の値に狭く設定した一人用モードを選択した場合に、送風部を小刻みに首振り動作させて、一人の使用者に対してより自然なあたりの柔らかい風を的確に提供することができる。
【０００９】
請求項２の発明では、送風部の首振り角度を、角度制御部で設定した最大首振り角度の範囲内でランダムに変更しながら、首振り送風を行うことができる。
【００１０】
請求項３の発明では、送風部の首振り速度をランダムに変更しながら、首振り送風を行うことができる。
【００１１】
請求項４の発明では、送風部の最大首振り角度を第２の値に設定したときに、送風部の首振り角度を、第２の値の範囲内でランダムに変更し、且つ送風部の首振り速度をランダムに変更しながら、首振り送風を行うことができる。
【００１２】
請求項５の発明では、送風部の首振り方向を左右、上下、または左右と上下の組み合わせとし、必要に応じて首振り角度と首振り速度をランダムに変更しながら、首振り送風を行うことができる。
【００１３】
請求項６の発明では、送風部の首振り機能の駆動部に、従来から搭載されているステッピングモータを使用することで、送風部を首振り運転させる駆動部のコストを従来と同等に維持することが可能となり、扇風機としてのコストアップがなく、製品の仕様を向上させることができる。
【発明の効果】
【００１４】
請求項１の発明によれば、使用者の人数に対応した首振り送風を行うことができ、一人の使用者に対してより自然なあたりの柔らかい風を的確に送風できる扇風機を提供することができる。
【００１５】
請求項２の発明によれば、送風部の首振り角度をランダムに変化させて、使用者に対してより自然なあたりの柔らかい風を送風する扇風機を提供することができる。
【００１６】
請求項３の発明によれば、送風部の首振り速度をランダムに変化させて、使用者に対してより自然なあたりの柔らかい風を送風する扇風機を提供することができる。
【００１７】
請求項４の発明によれば、狭い角度の範囲内で送風部の首振り角度をランダムに、そして首振り速度もランダムに変更しながら、一人の使用者に対してより一層自然なあたりの柔らかい風を送風する扇風機を提供することができる。
【００１８】
請求項５の発明によれば、送風部の首振り方向を左右、上下、または左右と上下の組み合わせの何れかにしながら、使用者に対してより自然なあたりの柔らかい風を送風する扇風機を提供することができる。
【００１９】
請求項６の発明によれば、扇風機としてのコストアップがなく、製品の仕様を向上させることができる。
【図面の簡単な説明】
【００２０】
【図１】本発明の第１実施例を示す扇風機本体の全体斜視図である。
【図２】同上、扇風機本体の正面図である。
【図３】同上、扇風機本体の右側面図である。
【図４】同上、扇風機本体の平面図である。
【図５】同上、送風部を傾けた状態の扇風機本体の右側面図である。
【図６】同上、図４のＢ−Ｂ線断面図である。
【図７】同上、扇風機本体の要部斜視図である。
【図８】同上、台座の平面図である。
【図９】同上、扇風機の電気的構成を示すブロック図である。
【図１０】同上、左右首振り角度９０°（左４５°、右４５°）、首振り速度一定に設定した場合の送風部の左右角度と時間との関係を示す説明図である。
【図１１】同上、左右首振り角度を１０°（左５°、右５°）以下でランダムに変更させ、首振り速度を時間と共にランダムに変化するように設定した場合の送風部の左右角度と時間との関係を示す説明図である。
【図１２】従来の扇風機の首振り動作と、第１実施例の扇風機の首振り動作を比較する説明図である。
【図１３】第１実施例の扇風機本体の具体的な首振り動作を示す説明図である。
【図１４】本発明の第２実施例を示す扇風機本体の全体斜視図である。
【図１５】同上、扇風機の人感センサーの構成を示すブロック図である。
【発明を実施するための形態】
【００２１】
以下、添付図面を参照しつつ、本発明における扇風機の好ましい実施例を説明する。なお、以下に示す各実施例で、共通する箇所には共通する符号を付し、共通する部分の説明は重複を避けるため極力省略する。
【実施例１】
【００２２】
図１〜図５は扇風機本体１の外観を示しており、これらの各図において、２は室内の床面などに載置されるベースとしての台座、３は台座２から上方に向かう支柱、４は風を送り出す送風部で、支柱３の上端部と送風部４との間には、送風部４を任意の方向に首振り運動させるための首振り装置５が装備される。台座２は、その外形が平面視でほぼ円形をなす扁平状に形成され、前方上面には複数のタッチパネルからなる操作部６が設けられる。また支柱３は、首振り装置５を含めた送風部４を昇降させる昇降装置をなすもので、台座２の後方上面から垂直に延びる筒状の支柱基部７と、この支柱基部７の内側に上下摺動自在に組み付けられた摺動杆８とからなり、支柱基部７の上部後側に設けたロックボタン９を、図示しない弾性体の付勢力に抗して押動することにより、支柱基部７と摺動杆８との係合が解除されて、送風部４や首振り装置５を支持する摺動杆８が、支柱基部７に対して上下に摺動するようになっている。
【００２３】
次に、送風部４や首振り装置５の構成を、図６や図７を参照しながら説明する。送風部４は、駆動源としてのＤＣ（直流）ファンモータ10と、このＤＣファンモータ10により回転駆動されるファン11と、ファン11を覆う網状のファンガード12とからなる。ファン11は、ＤＣファンモータ10の前方に突出した回転軸（図示せず）に固定され、複数の羽根13を放射状に配置して構成される。また、送風部４のＤＣファンモータ10と首振り装置５の全体は、前側を開口した駆動部カバー14により覆われており、この駆動部カバー14の開口周縁にファンガード12が取り付けられる。本実施例では、特に送風部４の駆動源としてＡＣ（交流）モータではなく、ＤＣファンモータ10を採用しているので、このＤＣファンモータ10に供給するパルス駆動信号のデューティを制御することで、ファン11の回転数を任意に可変することができる。
【００２４】
首振り装置５は、前記支柱３の上端部に俯仰回動可能に設けられた支持台15上に支持され、送風部４を左右水平方向に揺動させる左右首振り部16と、送風部４を上下垂直方向に揺動させる上下首振り部17とをそれぞれ備えている。左右首振り部16は、支持台15に対して水平回動可能に設けられた受け台18に取り付けられ、送風部４を左右に揺動させる駆動源として、第１のステッピングモータ19を備えている。また、上下首振り部17は送風部４に取り付けられ、送風部４を上下に揺動させる駆動源として、第２のステッピングモータ20を備えている。送風部４を含めた上下首振り部17は、リンク片21によって左右首振り部16と俯仰回動可能に連結されており、これにより第２のステッピングモータ20だけでなく第１のステッピングモータ19の駆動力も、リンク片21を介して送風部４に伝達されるようになっている。また、首振り装置５による送風部４の首振り運動とは別に、俯仰回動可能な支持台15と、水平回動可能な受け台18とにより、送風部４を手動で上下と左右に動かすことができる。
【００２５】
次に、図８を参照しながら操作部６の構成を説明する。操作部６は、扇風機本体１の台座２の上面にタッチパネル式の操作キーとして形成される。送風部４の動作を設定する操作キーは、左右首振りキー22、上下首振りキー23、風量キー25から構成される。
【００２６】
左右首振りキー22は、送風部４の左右首振り運転のオン／オフの切換えを指示するものである。この左右首振りキー22をタッチ操作することにより、左右首振り部16による送風部４の左右首振り運転をオンまたはオフに切り換えることができる。
【００２７】
上下首振りキー23は、送風部４の上下首振り運転のオン／オフの切換えを指示するものである。この上下首振りキー23をタッチ操作することにより、上下首振り部17による送風部４の上下首振り運転をオンまたはオフに切り換えることができる。
【００２８】
風量キー25は、送風量の設定を行うものであり、この風量キー25をタッチ操作することにより、送風部４からの風量を、例えば一定の「弱」、「中」、「強」、または周期的に変化する「リズム」の何れかに設定指示することができる。
【００２９】
その他、操作部６は、扇風機の電源のオン／オフを切り換える電源キー26、扇風機としての運転を停止するまでの時間を設定する切タイマーキー27、運転を開始するまでの時間を設定する入タイマーキー28、子供のいたずらや誤操作を防止するチャイルドロックキー29、等も備える。
【００３０】
なお、操作部６は、タッチパネルに限られず、ボタン式やダイヤル式であってもよい。また、操作部６と同様の操作が可能な遠隔操作体としてのリモコンを別体で備えてもよい。
【００３１】
図９は、本実施例における扇風機の電気的構成を示したものである。同図において、30は扇風機本体１の台座２の内部に配設されたマイコンを含む制御部であり、この制御部30の入力ポートには前述した操作部６が接続される一方で、制御部30の出力ポートには、送風部４を構成するＤＣファンモータ10と、左右首振り部16を構成する第１のステッピングモータ19と、上下首振り部17を構成する第２のステッピングモータ20がそれぞれ接続される。
【００３２】
制御部30は、マイコンによるソフトウェア上の機能として、操作部６から発生する操作信号を受けて、ＤＣファンモータ10の動作を制御する送風制御部31と、第１のステッピングモータ19の動作を制御する左右首振り制御部32と、第２のステッピングモータ20の動作を制御する上下首振り制御部33とをそれぞれ備えている。また制御部30は、扇風機本体１の運転中はもとより、電源キー26のタッチ操作により扇風機本体１の運転を停止した後も、送風部４からの風量等の各種設定状態を記憶する記憶部34を備えている。この記憶部34に記憶される設定状態は、再度電源キー26をタッチ操作して扇風機本体１の運転を再開したときに読み出され、これにより運転停止直前と同じ状態で、送風部４を動作させることが可能になる。
【００３３】
本実施例では、風量キー25の操作入力を受けて、制御部30が送風部４からの風量を前述した「弱」、「中」、「強」、「リズム」の何れかに設定し、その設定風量を記憶部34に記憶すると共に、扇風機の運転中は、送風制御部31が記憶部34から送風部４の設定風量を読み出し、設定風量に見合う送風が行われるように、送風部４を構成するＤＣファンモータ10の動作を制御する。また、左右首振りキー22からの操作入力により、左右首振り運転をオンにする指示が行なわれると、左右首振り制御部32は、送風部４の設定風量が固定した「弱」、「中」または「強」の場合には、送風部４の左右方向の最大首振り角度を、第１の値である例えば９０°に設定し、その第１の値で、送風部４の左右方向の首振り角度が一定になり、且つ送風部４の左右方向の首振り速度も一定になるように、第１のステッピングモータ19の動作を制御する一方で、送風部４の設定風量が可変する「リズム」の場合には、送風部４の左右方向の最大首振り角度を第２の値である例えば１０°に設定し、その第２の値の範囲内で送風部４の左右方向の首振り角度をランダムに変化させ、且つ送風部４の左右方向の首振り速度をランダムに変化させるように、第１のステッピングモータ19の動作を制御して、左右首振り部16による送風部４の横首振り動作を行わせる。
【００３４】
同様に、上下首振りキー23からの操作入力により、上下首振り運転をオンにする指示が行なわれると、上下首振り制御部33は、送風部４の設定風量が固定した「弱」、「中」または「強」の場合には、送風部４の上下方向の最大首振り角度を、第１の値である例えば２０°に設定し、その第１の値で、送風部４の上下方向の首振り角度が一定になり、且つ送風部４の上下方向の首振り速度も一定になるように、第２のステッピングモータ20の動作を制御する一方で、送風部４の設定風量が可変する「リズム」の場合には、送風部４の上下方向の最大首振り角度を、同じ２０°若しくは第２の値であるより狭い角度に設定し、その設定した値の範囲内で、送風部４の上下方向の首振り角度をランダムに変化させ、且つ送風部４の上下方向の首振り速度をランダムに変化させるように、第２のステッピングモータ20の動作を制御して、上下首振り部17による送風部４の縦首振り動作を行わせる構成となっている。
【００３５】
なお本実施例では、風量キー25により制御部30で設定された送風部４の風量に対応して、送風部４の左右方向や上下方向の最大首振り角度が設定される構成となっているが、送風部４の風量とは無関係に、これらの最大首振り角度が設定できる構成であってもよい。
【００３６】
次に、首振り装置５の動作を説明する。電源キー26をタッチ操作して扇風機本体１の運転を開始すると、送風制御部31は、記憶部34に記憶された送風部４の設定風量を読み出し、当該設定風量に応じたデューティのパルス駆動信号をＤＣファンモータ10に送出する。また、左右首振り制御部32は、左右首振りキー22からの操作入力により、左右首振り運転をオンにする指示が行なわれると、送風部４の設定風量に対応した送風部４の左右方向の最大首振り角度を設定して、当該設定値に応じたパルス駆動信号を第１のステッピングモータ19に送出し、同様に上下首振り制御部33も、上下首振りキー23からの操作入力により、上下首振り運転をオンにする指示が行なわれると、送風部４の設定風量に対応した送風部４の左右方向の最大首振り角度を設定して、当該設定値に応じたパルス駆動信号を第２のステッピングモータ20に送出する。これにより、ＤＣファンモータ10ひいてはファン11は、扇風機本体１の運転停止直前と同じ回転数で動作し始め、設定風量に見合う送風が送風部４から連続的に行われる。また、第１のステッピングモータ19による回転力が左右首振り部16に発生し、設定された左右の首振り角度と首振り速度で、送風部４が繰り返し左右に揺動し、第２のステッピングモータ20による回転力が上下首振り部17に発生し、設定された上下の首振り角度と首振り速度で、送風部４が繰り返し上下に揺動する。
【００３７】
そして、左右首振り制御部32と上下首振り制御部33は、それぞれ対応する第１のステッピングモータ19と第２のステッピングモータ20を独立して制御できることから、送風部４を左右方向の動作、上下方向の動作、左右方向と上下方向を組み合せた立体的な動作の３種類の動作で繰り返し揺動させることが可能になる。
【００３８】
また、送風制御部31はパルス駆動信号のデューティを固定若しくは徐々に可変させ、このパルス駆動信号をＤＣファンモータ10に送出することにより、送風部４から一定の風量を連続的に発生させたり、時間の経過と共に可変した風量を周期的に発生させることが可能である。風量は、扇風機本体１が運転中に風量キー25をタッチ操作することにより、「弱」→「中」→「強」→「リズム」→「弱」→・・・と選択し設定することができる。そして、設定された風量は記憶部34に記憶保持され、扇風機本体１の運転を再開した際には、運転停止直前に設定されていた風量でファン11が動作し始める。
【００３９】
図１０は、送風部４からの風量を「弱」、「中」または「強」に設定した場合に、送風部４の左右方向の首振り角度と時間との関係を示しており、また図１１は、送風部４からの風量を「リズム」に設定した場合に、送風部４の左右方向の首振り角度と時間との関係を示している。設定風量が「弱」、「中」または「強」である場合、左右首振り制御部32は、送風部４の左右方向の最大首振り角度を９０°（左４５°、右４５°）に設定し、一定の角度と一定の速度で送風部４を首振り動作させる。これに対して、設定風量が「リズム」である場合、左右首振り制御部32は、送風部４の左右方向の最大首振り角度を１０°（左５°、右５°）に設定し、その設定角度の範囲内でランダムに変化する角度と、ランダムに変化する速度で送風部４を首振り動作させる。
【００４０】
図１２は、従来の扇風機の首振り動作と、本実施例で提案する扇風機の首振り動作との比較を示したものである。従来の扇風機は、図１２（Ａ）に示すように送風部の上下の首振り角度が本実施例と同様に２０°であるものの、左右の首振りは多人数に風を送ることを目的として幅広い角度（５０°、７０°、９０°）に設定するようになっている。これに対し本実施例は、図１２（Ｂ）に示すように送風部４の首振り角度の第２の値を１０°に設定すると、使用者が一人の場合に、その使用者に対して首振り運転により自然なあたりの柔らかい風を無駄なく的確に送風することができる。
【００４１】
図１３は、本実施例で提案する扇風機のより具体的な首振り動作を示したものである。同図において、白抜き矢印は送風部４の首振り速度を示し、矢印が大きいほど速度が速いことを示す。本実施例においては首振り速度を３段階に切り替え可能であり、図１３（Ａ）は、その３段階の速度を矢印で示している。速度は例えば、大矢印が「はやい」、中矢印が「ゆっくり」、小矢印が「おそい」の３段階とする。
【００４２】
図１３（Ｂ）は、上下首振りの速度をランダムに設定した場合の速度変化の一例を示している。
【００４３】
図１３（Ｃ）は、左右首振りの速度をランダムに設定した場合の速度変化の一例を示している。
【００４４】
図１３（Ｄ）は、左右首振りと上下首振りの速度をそれぞれランダムに設定して組み合わせた場合の送風部４の首振り動作を示しており、アラビア数字の「８」を横倒しにした様な動きとなる。
【００４５】
こうして本実施例では、送風部４からの風量を「リズム」に設定した場合に、送風部４からのリズム風によるきめ細かい回転数制御に加えて、送風部４を小刻みに首振り動作させる首振り制御を加えることで、特に使用者が一人の場合に、その使用者に対して従来にない自然で心地よい風を送風することができる。この風は感触が柔らかく、扇風機の風に直接あたるのが苦手な人や赤ちゃんに対しても使用することができる。
【００４６】
また本実施例では、首振り装置５の駆動源として、従来の同期モータに代わり第１のステッピングモータ19や第２のステッピングモータ20を用いているので、これらの第１のステッピングモータ19や第２のステッピングモータ20に適切なパルス駆動信号を与えるだけで、送風部４の首振り速度や首振り角度を簡単に設定した状態にすることができる。
【００４７】
以上のように本実施例では、送風部４と、送風部４を首振り運動させる首振り装置５と、送風部４の首振り角度を制御する角度制御部となる左右首振り制御部32とを備え、左右首振り制御部32は、送風部４の最大首振り角度を例えば９０°である第１の値と、この第１の値よりも小さい例えば１０°である第２の値の何れかに設定可能であり、この設定した最大首振り角度の範囲内で、送風部４を首振り動作させるように首振り装置５を制御する構成となっている。
【００４８】
この場合、送風部４の最大首振り角度を、多人数に対応した第１の値と、一人に対応した第２の値の何れかに設定できるので、送風部４の最大首振り角度を第２の値に狭く設定した一人用モードを選択した場合に、送風部４を小刻みに首振り動作させて、一人の使用者に対してより自然なあたりの柔らかい風を的確に提供することができる。そのため、使用者の人数に対応した首振り送風を行なうことができ、一人の使用者に対してより自然なあたりの柔らかい風を的確に送風できる。
【００４９】
また、本実施例の左右首振り制御部32は、送風部４の実際に動作する際の首振り角度が、設定した最大首振り角度の範囲内でランダムに変化するように制御する構成となっている。
【００５０】
この場合、送風部４の首振り角度を、左右首振り制御部32で設定した最大首振り角度の範囲内でランダムに変更しながら、首振り送風を行うことができることから、送風部４の首振り角度をランダムに変化させて、使用者に対してより自然なあたりの柔らかい風を送風することができる。
【００５１】
また、本実施例の左右首振り制御部32は、送風部４の首振り速度を制御する速度制御部としての機能も備えており、送風部４の首振り速度がランダムに変化するように制御する構成となっている。
【００５２】
この場合、送風部４の首振り速度をランダムに変更しながら、首振り送風を行うことができることから、送風部４の首振り速度をランダムに変化させて、使用者に対してより自然なあたりの柔らかい風を送風することができる。
【００５３】
また、本実施例の左右首振り制御部32は、送風部４の首振り速度を制御する速度制御部としての機能も備えており、特に送風部４の最大首振り角度を第２の値に設定したときに、送風部４の首振り角度が第２の値以下の範囲内でランダムに変化するように制御し、送風部４の首振り速度がランダムに変化するように制御する構成となっている。
【００５４】
この場合、送風部４の最大首振り角度を前記第２の値に設定したときに、送風部４が実際に動作する際の首振り角度を、第２の値の範囲内でランダムに変更し、且つ送風部４の首振り速度をランダムに変更しながら、首振り送風を行うことができる。したがって、狭い角度の範囲内で送風部４の首振り角度をランダムに、そして首振り速度もランダムに変更しながら、一人の使用者に対してより一層自然なあたりの柔らかい風を送風することができる。
【００５５】
また本実施例では、送風部４の首振り方向が左右と上下の両方、左右のみ、上下のみのいずれかとなるように構成されている。
【００５６】
この場合、送風部４の首振り方向を左右、上下、または左右と上下の組み合わせとし、必要に応じて首振り角度と首振り速度をランダムに変更しながら、首振り送風を行うことができる。つまり、送風部４の首振り方向を左右、上下、または左右と上下の組み合わせの何れかにしながら、使用者に対してより自然なあたりの柔らかい風を送風することができる。
【００５７】
さらに本実施例では、送風部４を駆動させる駆動部が、ステッピングモータとなる第１のステッピングモータ19や第２のステッピングモータ20で構成される。
【００５８】
この場合、送風部４の首振り機能の駆動部に、従来から搭載されているステッピングモータを使用することで、送風部４を首振り運転させる駆動部のコストを従来と同等に維持することが可能となり、扇風機としてのコストアップがなく、製品の仕様を向上させることができる。
【実施例２】
【００５９】
図１４は、本発明の実施例２を示す。本実施例の扇風機本体１は、室内にいる人数を感知する人感センサー35を備えており、その他の構成は実施例１と共通している。
【００６０】
図１５に示すとおり、人感センサー35は、制御部30の入力ポートに接続され、人の体から放射された赤外線36を検出する検出部37の他に、制御部30に組み込まれ、検出部37で検出した赤外線36から所定範囲内に存在する人数が単数か複数かを判定する人数判定部38と、存在する人数が単数か複数かにより首振り動作を自動選択し、選択した首振り動作を行うように第１のステッピングモータ19と第２のステッピングモータ20に駆動信号を送出する首振り制御部39から構成される。この首振り制御部39は、実施例１の左右首振り制御部32と上下首振り制御部33に相当する。
【００６１】
検出部37は、支柱基部７の上部前側に配設され、室内にいる人の体から放射された赤外線36を検出し、赤外線36の量の変化等により人数判定部38が室内に存在する人が単数か複数かを判定し、人数に適した首振り動作を選択する。そして、人数判定部38が選択した首振り動作を行うように、首振り制御部39が第１のステッピングモータ19と第２のステッピングモータ20に駆動信号を送出する。
【００６２】
さらに本実施例においては、制御部30の入力ポートに接続する人感センサーキー40を、操作部６に備える。この人感センサーキー40をタッチ操作することにより、人感センサー35の動作をオンまたはオフに切り換えることができる。
【００６３】
人感センサー35により自動選択する首振り動作は、例えば、人数判定部38で判定した室内の人数が単数の場合には、送風部４の左右方向の最大首振り角度を１０°とし、人数が複数の場合には、送風部４の左右方向の最大首振り角度を９０°とする。また、実施例１で説明したように、送風部４の首振り速度をランダムとしたり、人数が単数の場合には上下の首振り動作を行なったりする等の設定が可能である。
【００６４】
また、検出部37を可動させる可動機構（図示せず）を扇風機本体１に組み込み、赤外線36を検出した方向を中心に首振り動作を行うように設定することも可能である。
【００６５】
このように、本実施例の効果として使用者が事前に人感センサー35を動作オン状態に設定しておけば、その後は人感センサー35で判定された室内の人数に応じて、自動で使用者に的確に送風を行うことができる。
【００６６】
なお、本発明は上記各実施例に限定されるものではなく、本発明の趣旨を逸脱しない範囲で種々の変更が可能である。例えば上記実施例では、送風部４の最大首振り角度を第２の値に設定したときにだけ、リズム風による送風部４の回転数制御と、送風部４を小刻みに首振り動作させる首振り制御が同時に行われるが、送風部４の最大首振り角度を第１の値に設定した場合でも、同様な回転数制御や首振り制御が行われる構成を組み込んでもよい。
【符号の説明】
【００６７】
４  送風部
５  首振り装置
19  第１のステッピングモータ（駆動部）
20  第２のステッピングモータ（駆動部）
32  左右首振り制御部（角度制御部、速度制御部）
33  上下首振り制御部（角度制御部、速度制御部）
【図１】
2015042854.tif 000003
【図２】
2015042854.tif 000004
【図３】
2015042854.tif 000005
【図４】
2015042854.tif 000006
【図５】
2015042854.tif 000007
【図６】
2015042854.tif 000008
【図７】
2015042854.tif 000009
【図８】
2015042854.tif 000010
【図９】
2015042854.tif 000011
【図１０】
2015042854.tif 000012
【図１１】
2015042854.tif 000013
【図１２】
2015042854.tif 000014
【図１３】
2015042854.tif 000015
【図１４】
2015042854.tif 000016
【図１５】
2015042854.tif 000017